【手続補正書】
【提出日】平成27年6月26日(2015.6.26)
【手続補正１】
【補正対象書類名】特許請求の範囲
【補正対象項目名】全文
【補正方法】変更
【補正の内容】
【特許請求の範囲】
【請求項１】
物体側から像側へ順に、正の屈折力が最も強いレンズ群Ｌｐ、負の屈折力のレンズ群Ｌｎ、正の屈折力のレンズ群Ｌｐ２を有し、ズーミングに際して隣り合うレンズ群の間隔が変化するズームレンズであって、
無限遠から所定の有限距離までのフォーカシングとズーミングが可能な第１領域においては、ズーミングに際して２以上のレンズ群が移動し、フォーカシングに際して少なくとも１つのレンズ群が移動し、
望遠端から前記所定の有限距離より短い物体距離へのフォーカシングが可能な第２領域においては、２以上のレンズ群が移動することにより望遠端から最至近の物体距離へのフォーカシングが行われ、最至近の物体距離に合焦している状態をマクロ端として、
広角端に比べてマクロ端において、前記レンズ群Ｌｐが物体側に位置し、前記レンズ群Ｌｐと前記レンズ群Ｌｎの間隔が大きくなり、前記レンズ群Ｌｎと前記レンズ群Ｌｐ２の間隔が小さくなることを特徴とするズームレンズ。
【請求項２】
前記第２領域のフォーカシングに際して、前記第１領域のフォーカシングに際して移動するレンズ群が移動することを特徴とする請求項１に記載のズームレンズ。
【請求項３】
前記レンズ群Ｌｐの焦点距離をＦＬｐ、前記レンズ群Ｌｐ２の焦点距離をＦＬｐ２とするとき、
０．０５＜ＦＬｐ／ＦＬｐ２＜０．６０
なる条件式を満たすことを特徴とする請求項１又は２に記載のズームレンズ。
【請求項４】
前記レンズ群Ｌｎの焦点距離をＦＬｎ、前記レンズ群Ｌｐの焦点距離をＦＬｐとするとき、
０．２０＜ＦＬｐ／｜ＦＬｎ｜＜０．９０
なる条件式を満たすことを特徴とする請求項１乃至３のいずれか１項に記載のズームレンズ。
【請求項５】
前記第２領域のマクロ端における、前記レンズ群Ｌｐの物体側のレンズ面から、前記レンズ群Ｌｐから前記レンズ群Ｌｐ２までの部分系の前側主点位置までの光軸上の距離をｏ１ＬＰ、前記第２領域のマクロ端における、前記レンズ群Ｌｐの物体側のレンズ面から前記レンズ群Ｌｐ２の像側のレンズ面までの光軸上の距離をＢｌｄＬＰとするとき、
−０．３０＜ｏ１ＬＰ／ＢｌｄＬＰ＜０．４０
なる条件式を満たすことを特徴とする請求項１乃至４のいずれか１項に記載のズームレンズ。
【請求項６】
望遠端からマクロ端まで変化させたときの前記レンズ群Ｌｐの移動量をｍＬｐ、広角端におけるレンズ全長をＴＬＤｗ、マクロ端において最至近距離の物体にフォーカスしたときの撮影倍率をβｍとするとき、
０．０１＜（ｍＬｐ／ＴＬＤｗ）／βｍ＜０．４０
なる条件式を満たすことを特徴とする請求項１乃至５のいずれか１項に記載のズームレンズ。
【請求項７】
物体側より像側へ順に、正の屈折力の第１レンズ群、負の屈折力の第２レンズ群を、前記レンズ群Ｌｐから前記レンズ群Ｌｐ２までの部分系とは別に有し、広角端に比べて望遠端において、前記第１レンズ群と前記第２レンズ群の間隔が大きいことを特徴とする請求項１乃至６のいずれか１項に記載のズームレンズ。
【請求項８】
望遠端からマクロ端への駆動に際して、前記第１レンズ群が像側へ移動することを特徴とする請求項７に記載のズームレンズ。
【請求項９】
最も物体側に負の屈折力の第１レンズ群が配置されていることを特徴とする請求項１乃至６のいずれか１項に記載のズームレンズ。
【請求項１０】
前記第１領域のフォーカシングに際して移動するレンズ群は、負の屈折力が最も強いレンズ群であることを特徴とする請求項１乃至９のいずれか１項に記載のズームレンズ。
【請求項１１】
望遠端において無限遠物体にフォーカスしているときの、フォーカシングに際して移動するレンズ群の光軸方向の位置と、該レンズ群の像側に隣り合うレンズ群の光軸方向の位置は、前記第２領域の一部においてオーバーラップすることを特徴とする請求項１０に記載のズームレンズ。
【請求項１２】
前記レンズ群Ｌｐと前記レンズ群Ｌｐ２は、ズーミングに際して同一の軌跡で移動することを特徴とする請求項１乃至１１のいずれか１項に記載のズームレンズ。
【請求項１３】
前記ズームレンズは、物体側より像側へ順に、正の屈折力の第１レンズ群、負の屈折力の第２レンズ群、正の屈折力の第３レンズ群、負の屈折力の第４レンズ群、正の屈折力の第５レンズ群、負の屈折力の第６レンズ群、正の屈折力の第７レンズ群より構成され、ズーミングに際して各レンズ群が移動し、前記第５レンズ群が前記レンズ群Ｌｐであり、前記第６レンズ群が前記レンズ群Ｌｎであり、前記第７レンズ群が前記レンズ群Ｌｐ２であることを特徴とする請求項１乃至６のいずれか１項のズームレンズ。
【請求項１４】
前記ズームレンズは、物体側より像側へ順に、正の屈折力の第１レンズ群、負の屈折力の第２レンズ群、正の屈折力の第３レンズ群、正の屈折力の第４レンズ群、負の屈折力の第５レンズ群、正の屈折力の第６レンズ群より構成され、ズーミングに際して各レンズ群が移動し、前記第３レンズ群が前記レンズ群Ｌｐであり、前記第５レンズ群が前記レンズ群Ｌｎであり、前記第６レンズ群が前記レンズ群Ｌｐ２であることを特徴とする請求項１乃至６のいずれか１項のズームレンズ。
【請求項１５】
前記ズームレンズは、物体側より像側へ順に、負の屈折力の第１レンズ群、正の屈折力の第２レンズ群、負の屈折力の第３レンズ群、正の屈折力の第４レンズ群、負の屈折力の第５レンズ群、正の屈折力の第６レンズ群より構成され、ズーミングに際して各レンズ群が移動し、前記第４レンズ群が前記レンズ群Ｌｐであり、前記第５レンズ群が前記レンズ群Ｌｎであり、前記第６レンズ群が前記レンズ群Ｌｐ２であることを特徴とする請求項１乃至６のいずれか１項のズームレンズ。
【請求項１６】
前記ズームレンズは、物体側より像側へ順に、正の屈折力の第１レンズ群、負の屈折力の第２レンズ群、正の屈折力の第３レンズ群、負の屈折力の第４レンズ群、正の屈折力の第５レンズ群より構成され、ズーミングに際して各レンズ群が移動し、前記第３レンズ群が前記レンズ群Ｌｐであり、前記第４レンズ群が前記レンズ群Ｌｎであり、前記第５レンズ群が前記レンズ群Ｌｐ２であることを特徴とする請求項１乃至６のいずれか１項のズームレンズ。
【請求項１７】
請求項１乃至１６のいずれか１項に記載のズームレンズと、該ズームレンズによって形成される像を受光する撮像素子を有することを特徴とする撮像装置。
【手続補正２】
【補正対象書類名】明細書
【補正対象項目名】０００４
【補正方法】変更
【補正の内容】
【０００４】
また、フォーカシングの際の収差変動を改善するために、複数のレンズ群を光軸方向に移動させるフローティング方式が知られている（特許文献２）。また、マクロ機構を有するズームレンズが知られている（特許文献３）。特許文献３のズームレンズでは、望遠端において、第１レンズ群と第２レンズ群の間隔が増大するように第１レンズ群と第２レンズ群を移動させることにより、マクロ撮影を可能としている。
【手続補正３】
【補正対象書類名】明細書
【補正対象項目名】００１３
【補正方法】変更
【補正の内容】
【００１３】
本発明のズームレンズは、物体側から像側へ順に、正の屈折力が最も強いレンズ群Ｌｐ、負の屈折力のレンズ群Ｌｎ、正の屈折力のレンズ群Ｌｐ２を有し、ズーミングに際して隣り合うレンズ群の間隔が変化するズームレンズであって、
無限遠から所定の有限距離までのフォーカシングとズーミングが可能な第１領域においては、ズーミングに際して２以上のレンズ群が移動し、フォーカシングに際して少なくとも１つのレンズ群が移動し、
望遠端から前記所定の有限距離より短い物体距離へのフォーカシングが可能な第２領域においては、２以上のレンズ群が移動することにより望遠端から最至近の物体距離へのフォーカシングが行われ、最至近の物体距離に合焦している状態をマクロ端として、
広角端に比べてマクロ端において、前記レンズ群Ｌｐが物体側に位置し、前記レンズ群Ｌｐと前記レンズ群Ｌｎの間隔が大きくなり、前記レンズ群Ｌｎと前記レンズ群Ｌｐ２の間隔が小さくなることを特徴としている。
【手続補正４】
【補正対象書類名】明細書
【補正対象項目名】００１８
【補正方法】変更
【補正の内容】
【００１８】
無限遠（無限遠物体）から有限距離（第１の物体距離）まで合焦（フォーカシング）可能な距離範囲を第１領域とする。第１領域の有限距離から更に近い至近距離（最至近距離）まで合焦可能な距離範囲を第２領域とする。第１領域ではフォーカシング駆動機構とズーム駆動機構によってフォーカシング及びズーミングが行われる。尚、第１領域の望遠端又は広角端から２以上のレンズ群が移動することにより、第１領域から第２領域へ移行する。